(57)【要約】【課題】ドアに給電を必要としない防犯機能を備えたドア装置を提供する。【解決手段】機械錠外側部１５ｃには、機械錠の機械鍵用の挿入口を覆うようにして、着脱自在に設けられたカバー２２が装着されている。従って、ドア錠は、カバー２２を機械錠外側部１５ｃから外さなければ、機械鍵によって施解錠されない構成となっている。一方、縦框１３の前記永久磁石２３と対向する部分には、カバー２２の有無を検知する非接触式の第１スイッチ２６が形成されている。同第１スイッチ２６は、カバー２２に埋設された永久磁石２３の発生する磁界の検出に基づいて、ＯＮ・ＯＦＦされるリードスイッチから形成されている。そして、同第１スイッチ２６が、カバー２２の取り外されたのを検知したことに基づいて、ドア装置１１は、縦框１３内に配設されたブザーを作動することにより、ドア１２に給電を必要としない防犯機能を備えたドア装置１１を提供できる。【選択図】　　　　図１
2004107937.tif 000002
【特許請求の範囲】
【請求項１】
框に設けられるとともに所定のＩＤ照合動作に基づいてドア錠を施解錠する電気錠と、前記框に相対するドアの側部に設けられるとともに機械鍵によって前記ドア錠を施解錠可能な機械錠と、その機械錠に対して着脱自在に設けられ、機械錠における機械鍵用の挿入口を覆うカバーと、前記カバーの有無を検知する検知手段と、前記カバーが前記機械錠から取り外されたことを前記検知手段が検知したときに作動して警告を発する警告手段とを備えるドア装置において、
前記検知手段を前記ドアに相対する框に設けたことを特徴とするドア装置。
【発明の詳細な説明】
【０００１】
【発明の属する技術分野】
本発明は、ドア装置に係り、詳しくはドアに給電を必要としない防犯機能を備えたドア装置に関するものである。
【０００２】
【従来の技術】
建物のドア装置のセキュリティ向上のため、所定のＩＤコードが記録された電子キーと、そのＩＤコードを読みとるための電気錠とから構成された電子キーシステムが提案されている。例えば、電子キーに設けられた送信ボタンを押すことによって、ＩＤコードを含む無線信号を電子キーから電気錠に送信し、電気錠にＩＤコードを読み込ませるもの等である。
【０００３】
ところが、このような電子キーシステムでは、停電等、電気錠に電力が供給されない際に、電子キーによる電気錠の解錠が不能になるという不都合が生じるため、従来の機械鍵もドアに併設する必要があった。ところが、機械鍵をドアに併設すると、ドア装置としてのセキュリティレベルは、機械錠のみを備えたドア装置のセキュリティレベルと何ら変わらないものとなってしまう。
【０００４】
そこで、従来からピッキング対策として機械鍵用の挿入口をカバーで隠蔽し、そのカバーが外された場合には、例えばブザーによって警告を行うというものであった（例えば、特許文献１参照。）。
【０００５】
【特許文献１】
特開平２００１−２７１５２３号公報（第１３−２３頁、第６−１５図）
【０００６】
【発明が解決しようとする課題】
しかし、上記ドア装置では、カバーの有無を検知するための検知手段や、カバーが外された後にブザー等を発する機能を備えるために、ドア内部やカバーに給電線を配置する必要があるという問題があった。さらに、引き戸等のようなドアにおいては、その構造上、ドア内部に給電線を配置することが困難であるという問題があった。
【０００７】
本発明は上記問題点を解決するためになされたものであり、その目的は、ドアに給電を必要としない防犯機能を備えたドア装置を提供することにある。
【０００８】
【課題を解決するための手段】
上記問題点を解決するために、請求項１に記載の発明は、框に設けられるとともに所定のＩＤ照合動作に基づいてドア錠を施解錠する電気錠と、前記框に相対するドアの側部に設けられるとともに機械鍵によって前記ドア錠を施解錠可能な機械錠と、その機械錠に対して着脱自在に設けられ、機械錠における機械鍵用の挿入口を覆うカバーと、前記カバーの有無を検知する検知手段と、前記カバーが前記機械錠から取り外されたことを前記検知手段が検知したときに作動して警告を発する警告手段とを備えるドア装置において、前記検知手段を前記ドアに相対する框に設けたことを要旨とする。
【０００９】
【発明の実施の形態】
（第１実施形態）
以下、本発明の一実施形態を図１〜図８に従って説明する。
【００１０】
図１〜３に示すように、ドア装置１１は、引き戸からなるドア１２と、同ドア１２の周囲に設けられた框とから構成されている。なお、図面上では、框のうち、ドア１２の閉扉時に当接する縦框１３のみ図示している。ドア１２の縦框１３と当接する当接面１２ａには、ドア錠１４が設けられている。そして、ドア１２が閉められた状態で、同ドア錠１４を施錠方向に作動すると、ドア１２は、縦框１３に形成された係合孔（図示しない）の周縁に係止され、施錠（ロック）される構成となっている。また、ドア錠１４は、ドア１２に備えられた機械錠１５及び縦框１３に備えられた電気錠１７のいずれによっても施解錠可能な構成となっている。
【００１１】
図２に示すように、機械錠１５は、ドア１２の屋内側の内側面１２ｂ及び屋外側の外側面１２ｃの両面からそれぞれ突出するように形成されている。そして、同機械錠１５内部に形成された回動部が回動されることに基づいて、ドア錠１４が作動され、施解錠される構成となっている。そして、内側面１２ｂから突出された機械錠内側部１５ａには、人が手により容易に回動し得るつまみ１５ｂが形成され、同つまみを回動することにより、ドア錠１４を施解錠し得る構成となっている。
【００１２】
一方、外側面１２ｃから突出された機械錠外側部１５ｃには、図５に示すように、機械鍵用の挿入口１８が形成されており、同挿入口１８に機械鍵を挿入し、その状態で機械鍵を回動することにより、前記回動部が回動され、ドア錠１４が施解錠される構成となっている。
【００１３】
図１，３に示すように、機械錠外側部１５ｃには、着脱自在に設けられたカバー２２が装着されており、同カバー２２は、機械錠１５における機械鍵用の挿入口１８を覆うようにして設けられている。その結果、ドア錠１４は、カバー２２を機械錠１５から外さなければ、機械鍵によって施解錠されない構成となっている。
【００１４】
図６に示すように、樹脂製のカバー２２は、断面矩形状に形成されており、その一部には、機械錠外側部１５ｃを着脱自在に嵌合する嵌合孔２２ａが形成されている。そして、同嵌合孔２２ａが、機械錠外側部１５ｃと嵌合されることにより、カバー２２は嵌合支持される構成となっている。また、同カバー２２において、縦框１３側寄りの側部内には、永久磁石２３が埋設されている。そのため、同永久磁石２３は、外部から見ることができない構成となっている。
【００１５】
すなわち、ドア１２は、機械錠１５、カバー２２、永久磁石２３を備えており、給電を必要としない構成となっている。
また、図１に示すように、縦框１３の前記永久磁石２３と対向する部分には、カバー２２の有無を検知する非接触式の検知手段としての第１スイッチ２６が形成されている。同第１スイッチ２６は、カバー２２に埋設された永久磁石２３の発生する磁界の検出に基づいて、ＯＮ状態又はＯＦＦ状態となるリードスイッチから形成されている。
【００１６】
そして、第１スイッチ２６は、ドア１２が閉められた状態、かつ、機械錠外側部１５ｃにカバー２２が装着されている状態ではＯＮ状態、その状態でカバー２２が機械錠外側部１５ｃから取り外されると、ＯＦＦ状態となる構成となっている。また、ドア１２が開放状態の場合でも、第１スイッチ２６は、永久磁石２３から離間し、磁界を検出することができないため、ＯＦＦ状態となる構成となっている。
【００１７】
また、縦框１３は、送信アンテナ２４、受信アンテナ２５、通信制御装置４０、電気錠１７、同電気錠１７を駆動する駆動回路（図示しない）、リミットスイッチからなる第２スイッチ２７及び警告手段としてのブザー３４を作動するブザー作動回路３５を備えている。
【００１８】
送信アンテナ２４は、図１、４に示すように、縦框１３の屋外側の円弧面１３ａとドア側面１３ｂの屋内部分との２カ所に配設されており、ドア装置１１とは、別体に形成された携帯機２１に、ドア装置１１の情報（例えばＩＤコード等）を送信し得る構成となっている。
【００１９】
受信アンテナ２５は、縦框１３内に埋設されており、携帯機２１から送信されたＩＤコード等を受信し得る構成となっている。従って、ドア装置１１は、携帯機２１と送受信し得る構成となっている。ここで、図２に示す領域Ａ１及び領域Ａ２は、縦框１３と携帯機２１とが、相互通信可能な領域を示している。
【００２０】
通信制御装置４０は、図４に示すように、受信回路４１、マイクロコンピュータ（以下、マイコン４２という。）、送信回路３９とから構成されている。受信回路４１は、前記受信アンテナ２５及びマイコン４２と接続されている。一方、送信回路３９は、前記送信アンテナ２４及びマイコン４２と接続されている。
【００２１】
すなわち、受信アンテナ２５にて、携帯機２１から受信した情報（例えばＩＤコード）は、受信回路４１を介してマイコン４２に伝達され、同マイコン４２により処理される構成となっている。一方、マイコン４２にて処理された情報は、送信回路３９を介して送信アンテナ２４から、携帯機２１に送信される構成となっている。
【００２２】
本実施形態におけるマイコン４２は、携帯機２１にリクエスト信号を間欠的に送信している。そして、携帯機２１が、領域Ａ１，Ａ２内に入り、同リクエスト信号を受信すると、同携帯機２１はリクエスト信号に応答してＩＤコード信号を自動送信する。すなわち、携帯機２１を所持する家人がドア装置１１に近づいたときに、携帯機２１からＩＤコード信号が自動送信される構成となっている。一方、携帯機２１は、通常、リクエスト信号を受信するためのスタンバイモードとなっており、リクエスト信号の受信時にのみＩＤコード信号を送信するように構成されている。
【００２３】
電気錠１７は、ドア１２が閉められた状態（閉扉状態）で、マイコン４２から出力される駆動信号に基づいて、機械錠１５と機械的に連結して作動され、ドア錠１４を作動し得る構成となっている。
【００２４】
以下、電気錠１７によるドア錠１４の施解錠動作について、ドア装置１１の構成とともに説明する。
マイコン４２は、携帯機２１からＩＤコード信号を受信すると、そのＩＤコード信号に含まれるＩＤコードを、メモリに予め記録されたＩＤコードと比較する。同メモリは、マイコン４２に備えられている。その結果、それらＩＤコード同士が一致したときには、マイコン４２は、前記駆動回路に駆動信号を出力する。
【００２５】
そして、同駆動回路は、同駆動信号に基づいて電気錠１７を作動させ、機械錠１５と機械的に連結して駆動し、ドア錠１４を作動させる。すなわち、ドア錠１４は、家人がドア１２に近づくだけで、自動的に解錠される。
【００２６】
一方、ドア錠１４の解錠後、携帯機２１が領域Ａ１，Ａ２外へ移動したときには、携帯機２１は、リクエスト信号を受信できなくなるため、ＩＤコード信号を送信しなくなる。従って、マイコン４２は、リクエスト信号を送信しているにも関わらず、ＩＤコード信号を受信できなくなる。この場合、マイコン４２は、携帯機２１がドア装置１１から離れたものと判断して、電気錠１７に前記駆動回路に駆動信号を出力する。
【００２７】
すると、同駆動信号に基づいて駆動回路は電気錠１７を作動させ、機械錠１５と機械的に連結して駆動して、ドア錠１４を施錠方向へ作動させる。すなわち、ドア錠１４は、家人がドア装置１１から離間するだけで自動的に施錠される構成となっている。従って、家人は、一切の操作を行うことなく、ドア錠１４の施解錠を行うことができる構成となっている。
【００２８】
さて、図３に示すように、ドア１２の当接面１２ａの所定の部位には絶縁性ゴムからなる押圧部３０が固定され、押圧部３０と相対する縦框１３のドア側面１３ｂの所定の位置には、片持ち支持された導体からなる有弾性の被押圧片３１が設けられている。又、被押圧片３１と対向するようにドア側面１３ｂには、接触端子３２が被押圧片３１に対して離間配置されている。そして、前記被押圧片３１と接触端子３２とから、ブザー作動回路３５におけるドア開閉検出手段としての第２スイッチ２７が構成されている。
【００２９】
同第２スイッチ２７の押圧部３０は、ドア１２が縦框１３と当接してドア１２が閉められると、被押圧片３１の先端を押圧する構成となっている。そして、同被押圧片３１の先端は、押圧部３０に押圧されると、その弾性力に抗して接触端子３２の方向へ移動されて接触端子３２と接触し、第２スイッチ２７がＯＮ状態となるようにされている。一方、反対にドア１２が閉扉状態からドア１２が開放されると、被押圧片３１が自身の弾性力により移動されることにより、第２スイッチ２７は元の状態に戻る構成となっている。従って、第２スイッチ２７は、ドア１２が閉められた状態ではＯＮ状態、ドア１２が開放された状態ではＯＦＦ状態となるように形成されている。
【００３０】
第２スイッチ２７は、前記第１スイッチ２６とともに、ブザー作動回路３５の構成要素とされており、同ブザー作動回路３５は、第２スイッチ２７がＯＮ状態、かつ、第１スイッチ２６がＯＦＦ状態の場合にブザー３４を作動させ、警告を行う構成となっている。
【００３１】
従って、ドア装置１１は、同ドア装置１１に必要な全ての給電を縦框１３に対して行う構成となっており、ドア１２に対しては、給電ばかりか配線も必要のない構成となっている。
【００３２】
次に、図７に基づいて、ブザー作動回路３５の電気的構成及び作用を説明する。
第１スイッチ２６の一対のリード片（以下、接点２６ａ及び接点２６ｂという）のうち、接点２６ａは、図示しない電源に接続され、接点２６ｂはリレーＲＬ１の入力コイルに接続されている。入力コイルの一端はアースに接続されている。ブザーユニット３３は、図１に示すように、縦框１３の円弧面１３ａ側に配設され、図７に示すように、第２スイッチ２７、ブザー停止スイッチ２８、リレーＲＬ１及びブザー３４から構成されている。そして、第１スイッチ２６、第２スイッチ２７、ブザー停止スイッチ２８、ブザー３４及びリレーＲＬ１によってブザー作動回路３５が構成されている。ブザー停止スイッチ２８は、ドア側面１３ｂの屋内部分に設けられており、押しボタン式の接点保持型スイッチ（オルタネーティブ・スイッチ）によって構成されている。
【００３３】
リレーＲＬ１はｂ接点（ブレーク接点）のリレーである。リレーＲＬ１の一方の接点ＣＰ１は、第２スイッチ２７及びブザー停止スイッチ２８の直列回路を介して、ブザー３４の一端子に接続され、他方の接点ＣＰ２は電源に接続されている。そして、ドア装置１１において、所定の条件を満たしたときに警告を行う防犯システムを利用する場合には、まず、ブザー停止スイッチ２８をＯＮ状態にしておく。
【００３４】
ブザー作動回路３５において、ドア１２開放時には、第１スイッチ２６はＯＦＦ状態となるため、リレーＲＬ１の両接点ＣＰ１、ＣＰ２が短絡状態となる。しかし、第２スイッチ２７がＯＦＦ状態であるため、ブザー３４に電流は流れず、ブザー３４は作動しない。
【００３５】
次に、ドア１２が閉められ、かつ、機械錠外側部１５ｃにカバー２２が装着されているときには、第１スイッチ２６は、ＯＮ状態となるため、リレーＲＬ１の入力コイルに電流が流れる。このため、リレーＲＬ１は励磁され、接点ＣＰ１、ＣＰ２が開放状態となる。従って、ブザー３４に電流は流れず、ブザー３４は作動しない。次に、ドア１２が閉められ、かつ、カバー２２が機械錠外側部１５ｃから取り外された状態には、第１スイッチ２６はＯＦＦ状態となるため、接点ＣＰ１、ＣＰ２が短絡状態となる。また、第２スイッチ２７は、ＯＮ状態となるため、ブザー３４に電流が流れ、ブザー３４が作動する。ブザー３４は、作動時に所定の音量の警告音を発する。すなわち、ブザー作動回路３５は、緊急状態にて、ブザー３４を作動して警告音を発する構成となっており、ドア装置１１のセキュリティが向上される構成となっている。
【００３６】
また、ブザー３４の作動を停止したい場合には、ブザー３４が作動している状態で、カバー２２を機械錠外側部１５ｃに装着するか、ドア１２を開放するかいずれかを行う。また、本実施形態では、縦框１３のドア側面１３ｂにブザー停止スイッチ２８が設けられているため、同ブザー停止スイッチ２８をＯＦＦ状態にすることによっても、ブザー３４を停止し得る構成となっている。
【００３７】
次に、ブザー作動回路３５によって行われるブザー３４作動処理を、図８に示す作動フローチャートに従って説明する。
まず、ステップ（以下、ステップをＳという）１にて、第２スイッチ２７がＯＦＦ状態の場合には、Ｓ１に留まる。一方、第２スイッチ２７がＯＮ状態になると、Ｓ２に移行する。すなわち、Ｓ１では、ドア１２が開放されているときには、Ｓ１に留まり、ドア１２が閉められているときには、Ｓ２に移行する。
【００３８】
次にＳ２では、第１スイッチ２６がＯＮ状態であれば、Ｓ１に戻る。一方、第１スイッチ２６がＯＦＦ状態であれば、Ｓ３に移行してブザー３４が作動する。すなわち、Ｓ２では、カバー２２が機械錠外側部１５ｃに装着されているときには、Ｓ１に戻り、カバー２２が外されているときには、Ｓ３に移行してブザー３４が作動する。
【００３９】
従って、上記実施形態によれば、以下のような効果を得ることができる。
（１）上記実施形態では、通信制御装置４０、電気錠１７、同電気錠１７を駆動する駆動回路、第２スイッチ２７及び警告手段としてのブザー３４を作動するブザー作動回路３５からなる装置は、全て縦框１３に備えられている。すなわち、ドア装置１１に必要な全ての給電は、縦框１３に設けられたブザー作動回路３５を含む装置のみに対して行われ、ドア１２は給電を必要としない構成となっている。
【００４０】
従って、ドア１２側に電気的構成を施すことなく、防犯システムを確立することができる。さらに、本実施形態では、ドア１２に配線を施す必要のない構成とした。そのため、構造上、配線が困難である引き戸タイプのドアを備えるドア装置の防犯システムとしては、特に有効である。
【００４１】
（２）上記実施形態では、ドア装置１１は、カバー２２の有無を検知する検知手段として、非接触式の第１スイッチ２６を備えている。
従って、機械的な接触式による検知手段を備えているのに対して、ドア装置１１の機械的な構造を簡易にすることができる。
【００４２】
（３）また、上記実施形態では、検知手段としての第１スイッチ２６を、縦框１３内に備えられたリードスイッチから形成した。
従って、ドア装置１１の外観から検知手段の構成を確認できないため、ピッキング対策として有効である。
【００４３】
（４）上記実施形態では、ドア装置１１は、永久磁石２３の発生する磁界の検出の有無に基づいて、ＯＮ状態又はＯＦＦ状態となるリードスイッチからなる第１スイッチ２６を検知手段として備えている。
【００４４】
従って、他の非接触式の検知手段と比較して、比較的安価かつ小型に形成することができる。
（５）上記実施形態では、第１スイッチ２６に磁界を付与する永久磁石２３をカバー２２に埋設して、同永久磁石２３を、外部から見ることができない構成とした。
【００４５】
従って、第三者による永久磁石２３の発見を困難にすることができる。その結果、ブザー作動回路３５の秘密性が向上され、ドア装置１１としてのセキュリティを向上することができる。
【００４６】
（６）上記実施形態では、機械錠１５における機械鍵用の挿入口１８を覆うように、カバー２２を設けたため、同カバー２２を機械錠１５から外さなければ、ドア錠１４を機械鍵によって施解錠できない構成とした。また、ドア１２が閉められた状態で、カバー２２を外すとブザー３４が警告を行う構成とした。
【００４７】
従って、機械錠１５のピッキングを行う際には、必ずブザー３４が作動するため、ドア装置１１としてのセキュリティレベルを、機械錠のみを備えたドア装置のセキュリティレベルよりも向上させることができる。
【００４８】
（７）上記実施形態では、ブザー作動回路３５にブザー停止スイッチ２８を設けた。
従って、家人が機械錠１５によるドア錠１４の施解錠を行いたい場合には、ブザー停止スイッチ２８をＯＦＦ状態にすることにより、ブザー３４が作動することなくドア錠１４を施解錠することができる。
【００４９】
（第２実施形態）
本発明の第２実施形態を図９〜図１１に基づいて説明する。
尚、第２実施形態を含む以下の各実施形態においては、既に説明した実施形態の構成と同一構成又は相当する構成については、同一番号を付しその重複説明を省略する。
【００５０】
この第２実施形態において第１実施形態と異なる点は、ブザー作動回路３５の回路構成と、同回路構成の変更に伴い、縦框１３に新たなスイッチを設けた点である。
【００５１】
縦框１３内には、リセットスイッチ２９が設けられている。同リセットスイッチ２９は、非接点保持型スイッチ（モーメンタリ・スイッチ）によって構成されている。同リセットスイッチ２９は、第２スイッチ２７がＯＦＦ状態からＯＮ状態に切り替わったのと同時にＯＮされる構成となっている。
【００５２】
そして、図９に示すように、リセットスイッチ２９は、ブザー作動回路３５の構成要素となっている。また、同図に示すように、本実施形態におけるブザーユニット３３は、リレーＲＬ１の代わりに、ｃ接点型（トランスファ接点）のリレーＲＬ２を設けた点で第１実施形態におけるブザーユニット３３と異なっている。すなわち、本実施形態のブザー作動回路３５は、第１スイッチ２６、第２スイッチ２７、ブザー３４、リレーＲＬ２、ブザー停止スイッチ２８及びリセットスイッチ２９によって構成されている。
【００５３】
このブザー作動回路３５においては、第１スイッチ２６の接点２６ａは、電源に接続されている。また、第１スイッチ２６の他方の接点２６ｂは、リレーＲＬ２の入力コイルの一端に接続されている。同入力コイルの他端は、リセットスイッチ２９の接点２９ａ及びリレーＲＬ２の接点ＣＰ２に接続されている。リセットスイッチ２９の他方の接点２９ｂはアースされている。また、リレーＲＬ２の接点ＣＰ１は、第２スイッチ２７の接点２７ａに接続されている。第２スイッチ２７の他方の接点２７ｂは、ブザー停止スイッチ２８の接点２８ａに接続されている。ブザー停止スイッチ２８の他方の接点２８ｂはブザー３４の一端子に接続され、同ブザー３４の他端子は電源に接続されている。リレーＲＬ２の接点ＣＰ３はアースされている。なお、リレーＲＬ２の接点ＣＰ３はコモン接点となっている。
【００５４】
そして、本実施形態におけるリレーＲＬ２は、入力コイルが消磁される（カバー２２が外されていると）と接点ＣＰ３と接点ＣＰ１とが導通した状態となり、励磁される（カバー２２が外されていない）と、接点ＣＰ３と接点ＣＰ２とが導通した状態となるように構成されている。
【００５５】
さらに、リレーＲＬ２は、限時復帰形であり、ＣＰ２からＣＰ１に切り替わるときには、限時復帰を行うように構成されている。
つまり、リレーＲＬ２は、カバー２２が機械錠外側部１５ｃに装着され、入力コイルに電流が流れると、入力コイルは励磁され、同時にＣＰ３とＣＰ２とが導通する構成となっている。一方、カバー２２が外され、前記入力コイルに電流が流れなくなると、入力コイルは消磁されるが、リレーＲＬ２は、所定時間、ＣＰ３とＣＰ２との導通を維持する構成となっている。従って、リレーＲＬ２は、入力コイルが消磁されてから、すなわち、第１スイッチ２６がＯＦＦ状態となってから所定時間（本実施形態では、１５秒）の計時後に、接点ＣＰ３と接点ＣＰ１とが導通する状態に切り替わるように構成されている。従って、リレーＲＬ２は、タイマ機能を有しており、ブザー作動回路３５におけるタイマー手段として構成されている。
【００５６】
このように構成されたブザー作動回路３５において、まず図９（ａ）は、ドア１２が開いた状態を示しており、第１スイッチ２６及び第２スイッチ２７はともにＯＦＦ状態である。この状態から、第１スイッチ２６の接点２６ａと接点２６ｂとが開放状態となると、リレーＲＬ２の入力コイルに電流が流れない。すなわち、リレーＲＬ２が消磁されてから、１５秒後に接点ＣＰ３と接点ＣＰ１との導通状態に切り換わる。他方で、ブザー作動回路３５におけるドア開閉検出手段としての第２スイッチ２７は、ドア１２が開放されている限りＯＦＦ状態となっている。従って、ブザー３４は作動しない。
【００５７】
次に、機械錠外側部１５ｃにカバー２２が装着された状態でドア１２が閉められると、第１スイッチ２６及び第２スイッチ２７がＯＮ状態となる。すると、リセットスイッチ２９がＯＮされ、「第１スイッチ２６→リレーＲＬ２の入力コイル→リセットスイッチ２９」の経路で電流が流れる。すなわち、リレーＲＬ２が励磁される。これにより、リレーＲＬ２の接点ＣＰ３は接点ＣＰ２と導通する。
【００５８】
ここで、リセットスイッチ２９をＯＦＦさせても、図９（ｂ）に示すように、「第１スイッチ２６→リレーＲＬ２の入力コイル→接点ＣＰ２→接点ＣＰ３」の経路で電流が流れるため、リレーＲＬ２は励磁された状態を維持する。つまり、リレーＲＬ２は自己保持回路となっている。そして、この状態においては、ブザー３４に電流が流れないため、ブザー３４が作動することはない。
【００５９】
その後、ドアが閉められた状態にて、機械錠１５からカバー２２が取り外されると、図９（ｃ）に示すように、第１スイッチ２６の接点２６ａと接点２６ｂとが開放状態となり、リレーＲＬ２の入力コイルに電流が流れなくなる。すなわち、リレーＲＬ２は消磁される。しかし、リレーＲＬ２は、限時復帰形であるため、リレーＲＬ２の消磁から１５秒間、ＣＰ３とＣＰ２の導通状態を維持する。その間、カバー２２が機械錠外側部１５ｃに装着され、再びリレーＲＬ２が励磁されれば、ドア１２の開放状態から、機械錠外側部１５ｃにカバー２２が装着された状態でドア１２が閉められたときの状態に戻る。
【００６０】
そして、前記１５秒の間に、再びリレーＲＬ２が励磁されなければ、図１０（ａ）に示すように、接点ＣＰ３と接点ＣＰ１との導通状態に切り換わる。これにより、「ブザー３４→ブザー停止スイッチ２８→第２スイッチ２７→接点ＣＰ１→接点ＣＰ３」の経路で電流が流れ、ブザー３４が作動する。
【００６１】
すなわち、本実施形態では、ドア１２が閉められた状態でカバー２２が取り外されると、その１５秒後にブザー３４から警告音が発せられる構成となっている。
【００６２】
また、図１０（ｂ）に示すように、一旦ブザー３４が作動した後に、カバー２２を再び機械錠外側部１５ｃに装着して、第１スイッチ２６をＯＮ状態としても、リレーＲＬ２は励磁されないため、ブザー３４は作動し続ける。よって、ブザー３４の作動を停止するためには、ブザー停止スイッチ２８をＯＦＦするか、カバー２２を再び装着した後にリセットスイッチ２９をＯＮするか、若しくは、ドア錠１４を解錠し、ドア１２を開放状態とする必要がある。
【００６３】
次に、ブザー作動回路３５によって行われるブザー３４作動処理を、図１１に示すフローチャートに従って説明する。
まず、Ｓ１１にて、第２スイッチ２７がＯＦＦ状態の場合には、Ｓ１１に留まる。一方、第２スイッチ２７がＯＮ状態になると、Ｓ１２に移行する。すなわち、Ｓ１１では、ドア１２が開放されているときには、Ｓ１１に留まり、ドア１２が閉められているときには、Ｓ１２に移行する。
【００６４】
次にＳ１２では、第１スイッチ２６がＯＮ状態であれば、Ｓ１１に戻る。一方、第１スイッチ２６がＯＦＦ状態であれば、Ｓ１３に移行する。すなわち、Ｓ１２では、カバー２２が機械錠外側部１５ｃに装着されているときには、Ｓ１１に戻り、カバー２２が外されているときには、Ｓ１３に移行する。
【００６５】
次にＳ１３では、所定時間（本実施形態では、１５秒。）内に、第１スイッチ２６がＯＮ状態となればＳ１１に戻る。一方、第１スイッチ２６がＯＦＦ状態を所定時間維持すれば、Ｓ１４に移行してブザー３４が作動する。すなわち、Ｓ１３では、所定時間内にカバー２２が機械錠外側部１５ｃに装着されればＳ１１に戻り、所定時間カバー２２が装着されなければＳ１４に移行してブザー３４により警告を行う。
【００６６】
従って、本実施形態によれば、前記第１の実施形態における（１）〜（７）に記載の効果に加えて、以下のような効果を得ることができる。
（８）第２実施形態では、ブザー作動回路３５は、第１スイッチ２６がＯＦＦ状態となってから所定時間（本実施形態では１５秒）の計時後、ブザー３４に警告をさせる構成とした。
【００６７】
従って、家人が、前記所定時間内で機械錠１５によるドア錠１４の施解錠を行うときに、ブザー３４が作動してしまうことを防止することができる。
（９）第２実施形態では、ブザー３４を一旦作動すると、その後にカバー２２を再び機械錠外側部１５ｃに装着しても作動し続ける構成とした。
【００６８】
そのため、従って、ドア錠１４の不正な解錠を確実に周りに知らせることができ、ドア錠１４のセキュリティレベルを一層向上させることができる。
（第３実施形態）
本発明の第３実施形態を図１２〜図１４に基づいて説明する。
【００６９】
本実施形態では、検知手段としての第１スイッチ２６を、光の検出に基づいてＯＮ状態又はＯＦＦ状態となるように形成した点で、磁界の検出に基づいてＯＮ状態又はＯＦＦ状態となるように形成した第２実施形態における第１スイッチ２６と異なっている。
【００７０】
すなわち、図１２に示すように、ドア装置１１は、ＬＥＤからなる投光素子５１、フォトダイオードからなる受光素子５２、反射板５３から構成された光センサ５４を備えている。投光素子５１及び受光素子５２は、縦框１３におけるドア側面１３ｂに形成された窪部５０に、ドア１２側を向いて設けられている。また、受光素子５２は、筒状をなす素子カバー５２ａを有しており、同素子カバー５２ａに収納されることにより、太陽光及び外灯等による光を遮光しうる構成となっている。
【００７１】
同投光素子５１及び受光素子５２と対向するカバー２２の縦框１３側の側面には、反射板５３が形成されている。同反射板５３は、図１２（ｂ）に示すように、ドア１２が閉められ、かつ、機械錠外側部１５ｃにカバー２２が装着されているときに、投光素子５１による光Ａを反射し得る位置に配置されている。それとともに、同反射板５３は、その時反射した光Ａが素子カバー５２ａの中心軸線に沿って進み、受光素子５２が受光し得るように配置されている。すなわち、受光素子５２は、ドア１２が閉められ、かつ、機械錠外側部１５ｃにカバー２２が装着されている状態で、光Ａを受光する構成となっている。
【００７２】
そして、光センサ５４は、マイコン４２に電気的に接続されており、同マイコン４２は、光センサ５４における光の検出に基づいて、ブザー作動回路３５の構成要素としての第１スイッチ２６の切り替えを行うように構成されている。同第１スイッチ２６は、ドア１２が閉められた状態、かつ、機械錠外側部１５ｃにカバー２２が装着されている状態では、ＯＮ状態、カバー２２が機械錠外側部１５ｃから取り外されると、ＯＦＦ状態となる構成となっている。また、図１２（ａ）に示すように、ドア１２が開放状態の場合でも、光Ａが反射板５３を反射せず受光素子５２が光Ａを受光することはないため、第１スイッチ２６は、ＯＦＦ状態となる構成となっている。従って、本実施形態における第１スイッチ２６は非接触式の検知手段から形成され、その機能は、第２実施形態における第１スイッチ２６の機能と同等である。
【００７３】
次に、図１３に基づいて、本実施形態におけるドア装置１１の電気的構成及び作用を第２実施形態との重複説明を省略して説明する。
本実施形態におけるブザー作動回路３５は、ブザー３４と直列にランプ５８を新たに配設した点で、第２実施形態におけるブザー作動回路３５と異なっている。すなわち、本実施形態のブザー作動回路３５は、第１スイッチ２６、第２スイッチ２７、ブザー３４、ランプ５８、リレーＲＬ２、ブザー停止スイッチ２８及びリセットスイッチ２９によって構成されている。同ランプ５８の一端子は、ブザー停止スイッチ２８の接点２８ｂと接続され、他端子は、ブザー３４の一端子と接続されている。
【００７４】
本実施形態における電気的作用は、第２実施形態における電気的作用と、ブザー３４が警告音を発するのと同時に、直列に配設されたランプ５８が点灯し、ブザー３４の警告音が止まるのと同時に、ランプ５８が消灯する点で、第２実施形態と異なっている。
【００７５】
次に、図１４に基づいて、本実施形態におけるブザー作動回路３５によって行われるブザー３４作動処理を第２実施形態との重複説明を省略して説明する。
Ｓ１３では、所定時間（本実施形態では、１５秒。）内に、第１スイッチ２６がＯＮ状態となればＳ１１に戻る。一方、第１スイッチ２６がＯＦＦ状態を所定時間維持すれば、Ｓ１４に移行してブザー３４及びランプ５８が作動する。すなわち、Ｓ１３では、所定時間内にカバー２２が機械錠外側部１５ｃに装着されればＳ１１に戻り、所定時間カバー２２が装着されなければＳ１４に移行してブザー３４及びランプ５８により警告を行う。
【００７６】
従って、本実施形態によれば、前記第１の実施形態における（１）〜（９）に記載の効果に加えて、以下のような効果を得ることができる。
（１０）第３実施形態では、ランプ５８を、ブザー作動回路３５の構成要素としてブザー３４と直列に配設した。
【００７７】
従って、ドア装置１１は、緊急状態において、ブザー３４の人の聴覚への刺激による警告のみならず、ランプ５８の人の視覚への刺激による警告をも行うため、ドア装置１１のセキュリティをさらに向上させることができる。
【００７８】
なお、上記各実施形態は以下のような別例に変更して具体化してもよい。
○上記各実施形態では、検知手段としての第１スイッチ２６を、非接触式の検知手段として形成したが、カバー２２と縦框１３とが機械的に接触することにより、カバー２２の有無を検知する接触式の検知手段として形成してもよい。
【００７９】
○第１、２実施形態では、第１スイッチ２６に磁界を付与する永久磁石２３をカバー２２に埋設して、同永久磁石２３を、外部から見ることができない構成としたが、永久磁石２３を外部から見える位置に配置して、カバー２２に固着させてもよい。
【００８０】
○第２，３実施形態では、ドア装置１１のリレーＲＬ２を、第１スイッチ２６がＯＮされたときから所定時間の計時後、ブザー３４又はランプ５８に警告をさせるタイマー手段として形成したが、タイマー手段として形成しなくてもよい。
【００８１】
○また、第２，３実施形態では、ドア装置１１のリレーＲＬ２は、第１スイッチ２６がＯＮされたときから１５秒後に、ブザー３４又はランプ５８が警告するように構成されたが、時間は何でもよい。
【００８２】
○第３実施形態では、緊急状態において、ブザー３４とランプ５８との２通りの方法で警告を行ったが、いずれか一方のみによる警告であってもよい。
○第１スイッチ２６を、例えば、屋内に設けたランプ５８と直列に配設して、ドア１２が開放状態、又は、緊急状態であることを、ランプ５８が点灯することにより、家人に知らせるような、他の用途に利用してもよい。
【００８３】
○上記各実施形態では、ドア１２を引き戸として具体化したが、例えば開き扉のような他のドアに具体化してもよい。
○上記各実施形態で、ドア開閉検出手段としての第２スイッチ２７をリミットスイッチから形成したが、ドア錠１４がロックされた時に導通する接触式のスイッチに形成してもよい。すなわち、第２スイッチ２７をドアロック検出手段として形成してもよい。
【００８４】
このようにした場合には、本実施形態に記載の効果に加えて、以下のような効果を得ることができる。
次に、上記実施形態及び各別例から把握できる技術的思想について、それらの効果と共に以下に記載する。
【００８５】
（１）前記検知手段は、非接触式の検知手段であることを特徴とする請求項１に記載のドア装置。
従って、この（１）に記載の発明によれば、機械的な接触式による検知手段を備えているのに対して、ドア装置の機械的な構造を簡易にすることができる。
【００８６】
（２）前記カバーは永久磁石を備えており、前記検知手段は、前記永久磁石の磁界を検出するものであることを特徴とする請求項１又は技術的思想（１）に記載のドア装置。
【００８７】
従って、この（２）に記載の発明によれば、ドア装置の外観から検知手段の構成を視認できないため、ピッキング対策として有効である。
（３）前記警告手段は、前記検知手段がカバーが取り外されたことを検知してから所定時間の計時後、前記警告手段に警告をさせるタイマー手段を備えていることを特徴とする請求項１又は技術的思想（１）、（２）のうちいずれか一項に記載のドア装置。
【００８８】
従って、この（３）に記載の発明によれば、家人が、前記所定時間内で前記機械錠による前記ドア錠の施解錠を行うときに、前記警告手段が警告してしまうことを防止することができる。
【００８９】
（４）前記永久磁石は、前記カバーの内部に備えられていることを特徴とする技術的思想（２）又は技術的思想（３）に記載のドア装置。
従って、この（４）に記載の発明によれば、第三者による前記永久磁石の発見を困難にすることができる。その結果、ドア装置としてのセキュリティを向上させることができる。
【００９０】
【発明の効果】
以上詳述したように、ドアに給電を必要としない防犯機能を備えたドア装置を提供することができる。
【図面の簡単な説明】
【図１】本発明のドア装置の概略斜視図。
【図２】図１のドア装置の概略側面図。
【図３】図１のドア装置の概略正面図。
【図４】図１のドア装置の概略構成を示すブロック図。
【図５】図１のドア装置の概略斜視図。
【図６】図１のドア装置におけるカバーの説明図。
【図７】図１のドア装置における警告手段の作動回路図。
【図８】図１のドア装置における警告手段のブザー作動処理のフローチャート。
【図９】（ａ）〜（ｃ）は、本発明のドア装置の第２実施形態における警告手段の作動回路図。
【図１０】（ａ），（ｂ）は、本発明のドア装置の第２実施形態における警告手段の作動回路図。
【図１１】図９のドア装置における警告手段のブザー作動処理のフローチャート。
【図１２】（ａ），（ｂ）は、本発明の第３実施形態における概略部分断面図。
【図１３】図１２のドア装置における警告手段の作動回路図。
【図１４】図１２のドア装置における警告手段のブザー作動処理のフローチャート。
【符号の説明】
１１…ドア装置、１２…ドア、１３…框としての縦框、１４…ドア錠、１５…機械錠、１７…電気錠、１８…挿入口、２２…カバー、２５…検知手段及びドア開閉検出手段としての第１スイッチ、３４…警告手段としてのブザー、５８…警告手段としてのランプ。
【図１】
2004107937.tif 000003
【図２】
2004107937.tif 000004
【図３】
2004107937.tif 000005
【図４】
2004107937.tif 000006
【図５】
2004107937.tif 000007
【図６】
2004107937.tif 000008
【図７】
2004107937.tif 000009
【図８】
2004107937.tif 000010
【図９】
2004107937.tif 000011
【図１０】
2004107937.tif 000012
【図１１】
2004107937.tif 000013
【図１２】
2004107937.tif 000014
【図１３】
2004107937.tif 000015
【図１４】
2004107937.tif 000016